(57)【要約】      （修正有）【課題】医療廃棄物を安全かつ容易に回収できる医療廃棄物回収具を提供する。【解決手段】基材１０１と、基材１０１の下面１０１ｂに設けられた粘着材１０２と、粘着材１０２に対して剥離可能に貼り付けられた剥離材１０３と、を備え、剥離材１０３の前端側を剥がした状態で、基材１０１と剥離材１０３の後端側の左右を、中心側が下方向に凸に曲がるよう持って、基材１０１の前端側の下面１０１ｂに設けられた粘着材１０２で医療廃棄物を貼り付けて回収できるようにした。【選択図】図３
2020174944.tif 000002
【特許請求の範囲】
【請求項１】
基材と、
前記基材の下面に設けられた粘着材と、
前記粘着材に対して剥離可能に貼り付けられた剥離材と、を備えた医療廃棄物回収具。
【請求項２】
前記基材および剥離材の左右に、それぞれ内側方向に伸びる切り込みを有する請求項１記載の医療廃棄物回収具。
【請求項３】
前記切り込みは、前記基材の左右の側端部の、前後方向の中心よりも前端側の位置から、内側に向かうに従って連続的または段階的に後端方向に伸びるよう設けられており、
当該切り込みの内側の端部の前後方向の位置が、前記基材の前後方向の中心よりも後端側に位置している請求項２記載の医療廃棄物回収具。
【請求項４】
前記剥離材には、当該剥離材の前記切り込みよりも前端側の部分を前記粘着材から剥離して切り離し可能となるよう切れ目が設けられている請求項２または請求項３いずれか一項記載の医療廃棄物回収具。
【請求項５】
前記基材は光透過性を有している請求項１から請求項４いずれか一項記載の医療廃棄物回収具。
【請求項６】
前記基材は樹脂製のフィルムまたはシートである請求項１から請求項５いずれか一項記載の医療廃棄物回収具。
【請求項７】
前記基材は透明なフィルムまたはシートである請求項６記載の医療廃棄物回収具。
【請求項８】
前記基材はカード形状を有しており、当該カード形状の長手方向を前後方向とした場合の左右となる位置に前記切り込みがそれぞれ設けられている請求項１から請求項７いずれか一項記載の医療廃棄物回収具。
【請求項９】
前記基材は、クレジットカードまたは名刺と形状およびサイズが同一または略同一である請求項１から請求項８いずれか一項記載の医療廃棄物回収具。
【請求項１０】
前記基材の後端側の左右には、当該後端側の左右を内側に向けて曲げることを指示する印が配置されている請求項１から請求項９いずれか一項記載の医療廃棄物回収具。
【請求項１１】
前記基材の前端側の中央近傍には、医療用廃棄物を貼り付ける位置を示す目印が配置されている請求項１から請求項１０いずれか一項記載の医療廃棄物回収具。
【請求項１２】
前記切り込みは左右対称に設けられている請求項１から請求項１１いずれか一項記載の医療廃棄物回収具。
【請求項１３】
前記基材には、前記基材の後端側を、左右方向において下方向に凸となるよう曲げるための１以上の折り筋が設けられている請求項１記載の医療廃棄物回収具。
【請求項１４】
前記１以上の折り筋は、それぞれ基材の後端側において、基材の前後方向に伸びている部分を有している請求項１３記載の医療廃棄物回収具。
【請求項１５】
前記折り筋は、前記基材の左右の側端部から内側方向に向かって、内側に向かうに従って連続的または段階的に後端方向に伸びる部分を有している請求項１３または請求項１４記載の医療廃棄物回収具。
【請求項１６】
前記基材の前端側の前記粘着材が設けられた下面側は、前記基材の後端側を、左右方向において下方向に凸となるよう曲げるようにユーザが持った状態であって、前記剥離材の前端側を剥離した状態において、医療廃棄物の回収面となる請求項１から請求項１５いずれか一項記載の医療廃棄物回収具。
【請求項１７】
前記医療廃棄物回収具が回収する医療廃棄物は、注射針である請求項１から請求項１６いずれか一項記載の医療廃棄物回収具。
【発明の詳細な説明】
【技術分野】
【０００１】
本発明は、医療廃棄物を回収するために用いられる医療廃棄物回収具に関するものである。
【背景技術】
【０００２】
従来、医療廃棄物を回収するために用いられる技術として、使用後の注射器等の医療廃棄物を収容するための密閉可能な本体と、注射器の注射針等の医療廃棄物における鋭利な部位を刺して係止させるために本体内に収容されている一または複数の針刺し体とからなる医療廃棄物容器が知られていた（例えば、特許文献１参照）。
【先行技術文献】
【特許文献】
【０００３】
【特許文献１】特開２０１４−１７６４４５号公報（第１頁、第１図等）
【発明の概要】
【発明が解決しようとする課題】
【０００４】
しかしながら、従来においては、床やテーブルや台等に落ちている注射針等の医療廃棄物を安全かつ容易に回収することができない、という課題があった。例えば、上記のような容器に、床等に落ちている注射針等の医療廃棄物を入れようとする場合、この医療廃棄物をユーザが一旦、拾う必要があるが、この時、手で拾うと、誤って注射針等で指を刺したり、汚染された医療廃棄物に直接接触してしまう恐れがある、という問題点があった。また、これを避けるために、ピンセットやトング等の用具を用いて拾う場合、医療廃棄物が小さい時には特に、非常に時間がかかり、作業効率が悪く、また、挟む際の力の加え方が難しく、一旦拾った医療廃棄物を落としてしまい易い、という問題点があった。
【０００５】
本発明は、上記のような課題を解消するためになされたものであり、医療廃棄物を安全かつ容易に回収することができる医療廃棄物回収具を提供することを目的とする。
【課題を解決するための手段】
【０００６】
本発明の医療廃棄物回収具は、基材と、基材の下面に設けられた粘着材と、粘着材に対して剥離可能に貼り付けられた剥離材と、を備えた医療廃棄物処理具である。
【０００７】
かかる構成により、剥離材の前端側を剥がした状態で、基材の前端側の下面に露出した粘着材に医療廃棄物を貼り付けることにより、医療廃棄物を安全かつ容易に回収することができる。
【０００８】
また、本発明の医療廃棄物回収具は、前記医療廃棄物回収具において、基材および剥離材の左右に、それぞれ内側方向に伸びる切り込みを有するようにしてもよい。
【０００９】
かかる構成により、剥離材の切り込みよりも前端側を剥がした状態で、基材と剥離材の切り込みよりも後端側の左右を、中心側が下方向に凸となるよう曲がるように挟んで、基材の切り込みよりも前端側の下面に露出した粘着材に医療廃棄物を貼り付けることにより、医療廃棄物を安全かつ容易に回収することができる。
【００１０】
また、本発明の医療廃棄物回収具は、前記医療廃棄物回収具において、切り込みは、基材の左右の側端部の、前後方向の中心よりも前端側の位置から、内側に向かうに従って連続的または段階的に後端方向に伸びるよう設けられており、切り込みの内側の端部の前後方向の位置が、基材の前後方向の中心よりも後端側に位置しているようにしてもよい。
【００１１】
かかる構成により、医療廃棄物を貼り付ける部分の広さを確保できるとともに、基材の切り込みよりも後方の左右の長さを長くして指で挟みやすくすることができ、操作性を向上させることができる。
【００１２】
また、本発明の医療廃棄物回収具は、前記医療廃棄物回収具において、剥離材には、剥離材の切り込みよりも前端側の部分を粘着材から剥離して切り離し可能となるよう切れ目が設けられている医療廃棄物回収具としてもよい。
【００１３】
かかる構成により、基材の前端側から剥がした剥離材を容易に除去することができる。
【００１４】
また、本発明の医療廃棄物回収具では、前記医療廃棄物回収具において、基材は光透過性を有しているようにしてもよい。
【００１５】
かかる構成により、医療廃棄物を回収する際に、基材を介して医療廃棄物の位置を確認することができる。
【００１６】
また、本発明の医療廃棄物回収具では、前記医療廃棄物回収具において、基材は樹脂製のフィルムまたはシートであるようにしてもよい。
【００１７】
かかる構成により、医療廃棄物が回収時に基材を突き破ったりすることを回避ことができる。
【００１８】
また、本発明の医療廃棄物回収具では、前記医療廃棄物回収具において、基材は透明なフィルムまたはシートとしてもよい。
【００１９】
かかる構成により、医療廃棄物を回収する際に、基材を介して医療廃棄物の位置を明瞭に確認することができる。
【００２０】
また、本発明の医療廃棄物回収具では、前記医療廃棄物回収具において、基材はカード形状を有しており、カード形状の長手方向を前後方向とした場合の左右となる位置に切り込みがそれぞれ設けられている医療廃棄物回収具としてもよい。
【００２１】
かかる構成により、医療廃棄物回収具を、例えば、ポケット等に収容可能とすることができ、持ち運びを容易にすることができる。
【００２２】
また、本発明の医療廃棄物回収具では、前記医療廃棄物回収具において、基材は、クレジットカードまたは名刺と形状およびサイズが同一または略同一としてもよい。
【００２３】
かかる構成により、医療廃棄物回収具を、例えば、一般的なクレジットカードや名刺等と同様にポケット等に収容可能とすることができ、持ち運びを容易にすることができる。
【００２４】
また、本発明の医療廃棄物回収具では、前記医療廃棄物回収具において、基材の後端側の左右には、後端側の左右を内側に向けて曲げることを指示する印が配置されているようにしてもよい。
【００２５】
かかる構成により、印によって視覚的に使い方をサポートすることができる。
【００２６】
また、本発明の医療廃棄物回収具は、前記医療廃棄物回収具において、基材の前端側の中央近傍には、医療用廃棄物を貼り付ける位置を示す目印が配置されているようにしてもよい。
【００２７】
かかる構成により、医療廃棄物の貼り付け時に、貼り付け位置を確認しやすく、操作性を向上させることができる。
【００２８】
また、本発明の医療廃棄物回収具は、前記医療廃棄物回収具において、切り込みは左右対称に設けられているようにしてもよい。
【００２９】
かかる構成により、後端側の左右を挟む際の操作性を向上させることができる。
【００３０】
また、本発明の医療廃棄物回収具は、前記医療廃棄物回収具において、基材には、前記基材の後端側を、左右方向において下方向に凸となるよう折り曲げるための１以上の折り筋が設けられているようにしてもよい。
【００３１】
かかる構成により、基材および剥離材の後端側を左右方向において下方向に凸となるよう容易に曲げることができる。
【００３２】
また、本発明の医療廃棄物回収具は、前記医療廃棄物回収具において、１以上の折り筋は、それぞれ基材の後端側において、基材の前後方向に伸びている部分を有しているようにしてもよい。
【００３３】
かかる構成により、基材および剥離材の後端側を左右方向において容易に曲げることができる。
【００３４】
また、本発明の医療廃棄物回収具は、前記医療廃棄物回収具において、前記折り筋は、前記基材の左右の側端部から内側方向に向かって、内側に向かうに従って連続的または段階的に後端方向に伸びる部分を有しているようにしてもよい。
【００３５】
かかる構成により、基材および剥離材の後端側を左右方向において容易に曲げることができるとともに、基材の折り筋よりも前端側をできるだけ平坦に保つことができる。
【００３６】
また、本発明の医療廃棄物回収具は、前記医療廃棄物回収具において、基材の切り込みよりも前端側の粘着材が設けられた下面側は、基材の後端側を、左右方向において下方向に凸となるように曲げるようユーザが挟んだ状態であって、剥離材の前端側を剥離した状態において、医療廃棄物の回収面としてもよい。
【００３７】
かかる構成により、基材の前端側の粘着材が設けられた下面側において医療廃棄物を貼り付けて回収することができる。また、医療廃棄物を貼り付ける位置と、ユーザが医療廃棄物回収具を挟んで持つ位置との距離を離して、回収時の安全性を保つことができる。また、後端側を下方向に凸となるよう曲げて挟んで持つことで、前端側が弾性変形しにくくして、医療廃棄物を貼り付ける際の力を加えやすくすることができる。
【００３８】
また、本発明の医療廃棄物回収具は、前記医療廃棄物回収具において、医療廃棄物回収具が回収する医療廃棄物を、注射針としてもよい。
【００３９】
かかる構成により、注射針を安全かつ容易に回収ことができる。
【発明の効果】
【００４０】
本発明による医療廃棄物回収具によれば、医療廃棄物を安全かつ容易に回収することができることができる。
【図面の簡単な説明】
【００４１】
【図１】本発明の実施の形態の医療廃棄物回収具の上面図（図１（ａ））、下面図（図１（ｂ））、および、剥離材の一部を剥がして除去した状態の下面図（図１（ｃ））
【図２】同医療廃棄物回収具の斜視図（図２（ａ））、および断面図（図２（ｂ））
【図３】同医療廃棄物回収具の使い方を説明するための斜視図（図３（ａ）〜図３（ｃ））
【図４】同医療廃棄物回収具の変形例を説明するための上面図（図４（ａ）〜図４（ｄ））
【発明を実施するための形態】
【００４２】
以下、医療廃棄物回収具等の実施形態について図面を参照して説明する。なお、実施の形態において同じ符号を付した構成要素は同様の動作を行うので、再度の説明を省略する場合がある。
【００４３】
（実施の形態）
図１は、本実施の形態の医療廃棄物回収具１の上面図（図１（ａ））、下面図（図１（ｂ））、および、剥離材の一部を剥がして除去した状態の下面図（図１（ｃ））を示している。
【００４４】
図２は、本実施の形態の医療廃棄物回収具１の斜視図（図２（ａ））、および図２（ａ）のＩＩｂ−ＩＩｂ線による断面図（図２（ｂ））を示している。なお、図においては、説明の便宜上、厚さ方向のサイズと、他の方向のサイズとの比率は、実際の比率とは必ずしも一致していない。
【００４５】
医療廃棄物回収具１は、基材１０１と、基材１０１の下面１０１ｂに設けられた粘着材１０２と、粘着材１０２に対して剥離可能に貼り付けられた剥離材１０３とを有している。
【００４６】
医療廃棄物とは、例えば、医療行為に関連して排出される廃棄物や、医療現場で排出される廃棄物のことを指す。医療廃棄物は、例えば、感染性廃棄物である。医療廃棄物は、例えば、使用済の注射針、刃、アンプル、ガーゼ等である。
【００４７】
基材１０１は、カード形状を有する。基材１０１は、前端１０１１、後端１０１２、左側端１０１３、および右側端１０１４を有している。基材１０１は、前後方向、例えば、後端１０１２から前端１０１１に向かう方向が長手方向である平面形状が角丸長方形のカード形状を有している。カード形状とは、例えば、クレジットカードやＩＣカード等のカードや、名刺、トランプ等の、一般的なカードと同様の平面形状を有し、厚さも、一般的なカードと同じ、もしくはそれ以下の厚さを有する形状である。基材１０１の平面形状は、角が丸められた形状であることが、取り出しやすさの点から好ましいが、角は丸められていなくてもよい。基材１０１の平面形状のサイズは、スーツ、シャツ、白衣、作業着等のポケット（例えば、胸ポケット等）に入る形状およびサイズであることが好ましい。例えば、基材１０１の平面形状のサイズは、幅９０ｍｍ以下で、長さが１４０ｍｍ以下であることが好ましい。また、基材１０１の平面形状のサイズは、後述するように、基材１０１の前端１０１１側で医療廃棄物を回収可能なサイズであることが好ましい。例えば、基材１０１の平面形状のサイズは、幅３０ｍｍ以上で、長さが６０ｍｍ以上であることが好ましい。基材１０１の平面形状のサイズは、クレジットカードまたは名刺と同一または略同一であることが、他のカードや名刺等と重ねて持ち運んだりできるという点や、シャツや、白衣、作業着等の医療現場に関係するユーザが通常利用する衣服のポケット（例えば、胸ポケット）等に入るサイズである点で好ましい。国際規格で定められているクレジットカードの平面形状のサイズは、５３．９８ｍｍ×８５．６０ｍｍ、名刺の一般的なサイズは、５５ｍｍ×９１ｍｍであることから、基材１０１の幅（横方向の長さ）は、５０ｍｍ以上、６０ｍｍ以下であることが好ましく、５３ｍｍ以上、５７ｍｍ以下であることがより好ましい。また、基材１０１の長さ（長手方向の長さ）は、８４ｍｍ以上９５ｍｍ以下であることが好ましく、８５ｍｍ以上、９２ｍｍ以下であることがより好ましい。ここでは、基材１０１の平面形状のサイズは、５５ｍｍ×９０ｍｍである場合について説明する。ただし、基材１０１の平面形状や、平面形状のサイズ等は、上記に限定されるものではない。例えば、基材１０１の平面形状は、カード形状でなくてもよく、矩形形状等の多角形形状、楕円形状等であってもよい。
【００４８】
基材１０１は、例えば、シート状、フィルム状、または平板状の形状を有している。基材１０１の厚さは問わない。基材１０１の厚さは、医療廃棄物回収具１としての機能を果たすような厚さ、例えば、医療廃棄物の回収時に、医療廃棄物を貼り付けるために十分な弾性力が得られるような厚さに設定される。例えば、基材１０１の後端１０１２側は、粘着材１０２を介して剥離材１０３が貼り付けられた状態で、左右方向において下方向に向かって凸となるよう曲げられる（例えば、湾曲するよう曲げられる）ことから、剥離材１０３は、剥離材１０３を貼り付けた状態で左右方向において曲げることが可能な厚さであることが好ましく、剥離材１０３を貼り付けた状態で左右方向に湾曲するよう曲ることが可能な厚さであることが好ましい。なお、基材１０１の後端１０１２側は、基材１０１の後方と考えてもよい。同様に、基材１０１の前端１０１１側は、基材１０１の前方と考えてもよい。
【００４９】
基材１０１の厚さは、例えば、基材１０１の材質や基材１０１のサイズ等に応じて決定される。基材１０１の厚さは、持ち運びの観点からは、基材１０１は、厚さが薄い方が好ましい。基材１０１の厚さは、１ｍｍ以下であることが好ましく、０．５ｍｍ以下であることがより好ましく、０．２ｍｍ以下であることがさらに好ましい。
【００５０】
基材１０１は、安全性の面からは、注射針や、刃等の鋭利な医療廃棄物が容易に突き破れない強度や厚さ、構造等を有するものであることが好ましい。また、基材１０１は、補強のために、内部や、表面等に金属線や金属製の網等を有する樹脂性のフィルムやシート等であってもよい。
【００５１】
基材１０１の材質は、例えば、弾性変形が可能な材質であることが好ましい。基材１０１としては、例えば、延伸ポリプロピレン、ポリエチレンテレフタレート（ＰＥＴ）、発泡ＰＥＴ、延伸ポリスチレン、ポリ塩化ビニル等の樹脂性のフィルムまたはシートが好適である。基材１０１は、同一または異なる複数の樹脂性のフィルムやシートが積層されたものであってもよい。ただし、基材１０１は、樹脂製のフィルムやシートに限定されるものではなく、例えば、紙製やパルプ製のフィルムやシート等であってもよく、これらが樹脂製のフィルムやシート等でラミネート加工されたものであってもよい。また、基材１０１は、厚さの薄い金属板等であってもよい。また、基材１０１は、複数の異なる材質のものが積層されたものであってもよい。
【００５２】
基材１０１は、光透過性を有するものであることが好ましい。基材１０１が光透過性を有する、ということは、例えば、基材１０１が透明であることであってもよく、半透明であることであってもよい。基材１０１が光透過性を有するということは、基材１０１が、基材１０１を介して物体の位置や形状等を、完全であるか、不完全であるかに関わらず、確認可能なものであることと考えてもよい。基材１０１は、透明であることが最も好ましい。
【００５３】
基材１０１は、例えば、下面１０１ｂに粘着材１０２が設けられて、シール状となっている。粘着材１０２は、医療廃棄物を貼り付け可能なものであれば、どのような粘着材であってもよい。例えば、通常のシール等に利用可能な粘着材のうちの、医療廃棄物を貼り付け可能な強度等を有する粘着材が利用可能である。粘着材１０２は、強粘着性を有するものであってもよく、弱粘着性を有するものであってもよく、一度剥がした後、再度貼り付け可能なものであってもよい。また、耐水性を有するものであってもよく、耐油性を有するものであってもよく、耐熱性を有するものであってもよい。粘着材１０２は、光透過性を有するものであることが好ましく、透明なものであることがより好ましい。粘着材１０２は、例えば、基材１０１の下面１０１ｂに対して、剥離しないよう設けられる。
【００５４】
剥離材１０３は、例えば、医療廃棄物を回収しないときに、基材１０１の下面１０１ｂに設けられた粘着材１０２に物質が付着するのを防ぐために設けられている。剥離材１０３は、例えば、粘着材１０２に対して剥離可能に貼り付けられたシートや、フィルムや、紙である。剥離材１０３は、いわゆるセパレータと考えてもよい。例えば、剥離材１０３の粘着材１０２と接する面に、剥離可能に貼り付けが可能となるような加工が施された（例えば、ワックス等が塗布された）ものである。剥離材１０３の材質や厚さ等は問わない。医療廃棄物回収具１の未使用時に、基材１０１の強度を補強するために、剥離材１０３の厚さを厚くしたり、弾性率の高い材質や剛性の高い材質を用いてもよい。
【００５５】
剥離材１０３は、例えば、基材１０１と、同一または略同一の形状を有している。ただし、剥離材１０３は、例えば、基材１０１の下面１０１ｂに設けられた粘着材１０２の表面全面を少なくともカバーすることが可能なサイズおよび形状を有していればよく、基材１０１の下面１０１ｂよりもサイズが大きくてもよい。
【００５６】
剥離材１０３の厚さは問わない。後述するように、基材１０１の後端１０１２側は、粘着材１０２を介して剥離材１０３が貼り付けられた状態で、左右方向において下方向に向かって凸となるように曲げられる（例えば、湾曲するよう曲げられる）ことから、剥離材１０３は、基材１０１に貼り付けた状態で左右方向に曲げることが可能な厚さであることが好ましく、基材１０１に貼り付けた状態で左右方向に湾曲するよう曲げることが可能な厚さであることが好ましい。
【００５７】
剥離材１０３には、基材１０１の前端１０１１側の下面１０１ｂ側に設けられた部分のみを剥がして、医療廃棄物回収具１から容易に除去できるように、基材１０１の前端１０１１側と後端１０１２側との間となる位置に、横方向に切れ目１０５が設けられている。ここでの、切れ目１０５は、剥離材１０３の切り込み１０４よりも前端１０１１側の部分１０３ａをユーザの手等によって（好ましくは片手によって）容易に除去できるようにするものであれば、ミシン目等の１または２以上の部分的な切れ目であってもよい。この切れ目については、後述する。
【００５８】
基材１０１および剥離材１０３には、左右にそれぞれ切り込み１０４が設けられている。ここでの左右は、例えば、基材１０１を上面側または下面側から見た場合の、基材１０１の前後方向に対する左右である。前後方向は、例えば、基材１０１の長手方向である。基材１０１および剥離材１０３には、例えば、上方から見て同じ位置に切り込み１０４が設けられている。基材１０１に切り込み１０４が設けられていることから、基材１０１に設けられた粘着材１０２の同じ位置にも切り込みが設けられている。例えば、切り込み１０４は、カード形状の基材１０１の長手方向を前後方向とした場合の、上方から見て左右となる位置にそれぞれ設けられている。
【００５９】
それぞれの切り込み１０４は、基材１０１および剥離材１０３の内側方向に向かって伸びている。内側方向に伸びるということは、例えば、切り込み１０４が、それぞれ、基材１０１の左側端１０１３および右側端１０１４から基材１０１の中心を通過する基材１０１の前後方向に伸びる仮想の中心線１０１５方向に向かって伸びていることと考えてもよい。左右の切り込み１０４は、医療廃棄物回収具１の操作性を考えた場合、左右対称に設けられていることが好ましい。具体的には、左右の切り込み１０４は、中心線１０１５に対して左右対称に設けられていることが好ましい。
【００６０】
なお、左右の切り込み１０４同士は、基材１０１の内側（例えば、中心線１０１５近傍等）において、繋がっていないようにする。すなわち、基材１０１は、左右の切り込み１０４によって完全に前後に切り離されないようにする。なお、上述した剥離材１０３に設けられる切れ目１０５は、この切れ込み１０４の、基材１０１の内側に位置する端部１０４１間を繋ぐよう設けることが好ましい。ただし、この端部１０４１よりも前端１０１１側において、剥離材１０３の切り込み１０４同士を繋ぐように切れ目１０５を設けてもよい。
【００６１】
ここでは、一例として、切り込み１０４が、カード形状の基材１０１の長手方向を前後方向とした場合の、左右となる位置にそれぞれ設けられている場合について説明する。具体例としては、各切り込み１０４は、カード形状の基材１０１の左側端１０１３および右側端１０１４の前後方向の中心よりも前端１０１１側の位置から、一旦、中心線１０１５に対して垂直に直線状に伸びた後（例えば、２ｍｍ程度伸びた後）、内側に向かうに従って連続的に後端１０１２方向に向かうよう直線状に伸びており、各切り込み１０４の内側の端部１０４１の前後方向の位置が、基材１０１の前後方向の中心よりも後端側に位置している場合について説明する。これにより切り込み１０４は、内側に向かうに従って段階的に後端方向に伸びるよう設けられている。切り込み１０４が、内側に向かうに従って段階的に後端方向に伸びるよう設けられていることで、基材１０１の切り込み１０４よりも前端１０１１側に位置する部分の広さを広く確保できるとともに、切り込み１０４よりも後端１０１２側に位置する基材１０１の左右の部分の長さを長くして、後述するように、ユーザがこの部分を指で挟みやすくすることができる。
【００６２】
各切り込み１０４の左側端１０１３が設けられている位置は、ここでは、一例として、基材１０１の前端１０１１から、基材１０１の前後方向（ここでは長手方向）の長さの約３分の１の長さ、具体的には、略３０ｍｍだけ後端１０１２側となる位置となっている。また、内側の端部１０４１の位置は、一例として、基材１０１の前端１０１１から、基材１０１の前後方向（ここでは長手方向）の長さの約３分の２の長さだけ後端１０１２側となる位置よりも基材１０１の中心側となる位置、具体的には前端１０１１から略５５ｍｍとなる位置、となっている。また、左右の切り込み１０４の内側の端部１０４１間の距離は、ここでは、略１５ｍｍとなっている。ただし、切り込み１０４に関する位置や長さ等は、これらに限定されるものではない。
【００６３】
[0]  なお、左右の切り込み１０４は、形状、サイズ、および設けられている位置の組み合わせが、医療廃棄物回収具１の切り込み１０４よりも後端１０１２側の左右を指等ではさんで、容易に中心線１０１５側が下方に凸となるよう曲げることが可能な組合せであることが好ましく、湾曲させるよう曲げることが可能となるような組合せであることがより好ましい。
【００６４】
なお、切り込み１０４は、上記以外の平面形状となるように、内側に向かうに従って段階的に後端方向に伸びるよう設けられていてもよい。また、切り込み１０４は、基材１０１の左側端１０１３および右側端１０１４の前後方向の中心よりも前端１０１１側の位置から、内側に向かうに従って連続的に後端方向に伸びるよう設けられていてもよい。
【００６５】
なお、ここでの切り込みは、切り込み１０４を挟んで対向する基材１０１および剥離材１０３の前端１０１１側となる部分と、後端１０１２側となる部分とが、ユーザの手等によって（好ましくは片手によって）容易に切り離し可能となるようにするものであれば、ミシン目等のように、部分的に切れていない部分が存在していてもよい。また、ユーザが手等で容易に切り離せる程度の非常に薄い薄さで、切り込み１０４を挟んで対向する基材１０１および剥離材１０３の前端１０１１側となる部分と、後端１０１２側となる部分とが繋がっている場合も、切り込み１０４が設けられているものと考えてもよい。
【００６６】
なお、上記で説明した左右の切り込み１０４は一例であり、切り込み１０４は上記で説明したものに限定されるものではない。例えば、各切り込み１０４は、左側端１０１３および右側端１０１４から中心線１０１５に対して垂直に伸びる切り込みであってもよい。また、左右の切り込み１０４は、左右対称でなくてもよい。
【００６７】
なお、ここでは、基材１０１の後端１０１２側の左右には、この後端１０１２側の左右が上側を向くよう、この後端側の左右を曲げることを指示する矢印１０１６がそれぞれ配置されている例を示している。この矢印１０１６は、左右の切り込み１０４よりも基材１０１の後端１０１２側の左右に設けることが好ましい。この矢印１０１６は、例えば、左側端１０１３および右側端１０１４から、それぞれ中心方向を指し示す矢印であって、矢柄の左側端１０１３側および右側端１０１４側が、後方に向かって曲線状に曲がっている矢印である。この矢印１０１６は、例えば、基材１０１の上面１０１ａに印刷されている。基材１０１が透明である場合、矢印１０１６は、基材１０１の下面等に印刷されていてもよい。また、矢印１０１６を示す物体（図示せず）が、基材１０１に埋め込まれていてもよく、基材１０１に凹部や凸部を設けることで、矢印１０１６等の印を立体的に表示してもよい。なお、左右の切り込み１０４よりも後端１０１２側の左右を内側に向けて曲げることを指示することが可能な印であれば、矢印１０１６以外の印、例えば三角形等が設けられていてもよい。
【００６８】
また、ここでは、基材１０１の、左右の切り込み１０４よりも前端１０１１側の中央近傍には、医療用廃棄物を貼り付ける位置を示す目印１０１７が配置されている例を示している。この目印１０１７は、基材１０１の、左右の切り込み１０４よりも前端１０１１側の中央近傍に設けることが好ましい。ここでは、目印１０１７が、円形とその周りに円環状に配置した複数の円形とで構成されているようにしたが、この目印１０１７は、どのような形状であってもよく、例えば、クロスマークや、星マーク等であってもよい。この目印１０１７は、例えば、中心線１０１５上に表示することが好ましい。この目印１０１７は、上記の矢印１０１６と同様に、印刷や、埋め込み、凹凸を設けることによって、基材１０１に設けられる。この目印１０１７が設けられていることで、基材１０１が透明である、あるいは透明度が高い場合においては特に、医療廃棄物を貼り付ける位置を、基材１０１の上面側から目視で容易に確認することが可能となり、作業性を向上させることができる。
【００６９】
なお、上記の矢印１０１６や目印１０１７等は、適宜省略しても良い。
【００７０】
本実施の形態の医療廃棄物回収具１は、通常のカード状のシール等を製造する工程等と同様の工程により製造可能であるため、ここでは、詳細な説明は省略する。
【００７１】
図３は、本実施の形態の医療廃棄物回収具１の使い方を説明するための模式的な斜視図（図３（ａ）〜図３（ｃ））である。
【００７２】
以下、図３を用いて、医療廃棄物回収具１の使い方について説明する。ここでは、回収対象の医療廃棄物が、床に落ちた注射針２００である場合を例に挙げて説明する。ただし、医療廃棄物が注射針２００以外である場合においても使い方は同様である。
【００７３】
まず、ユーザが、床に落ちた注射針２００を発見して、医療廃棄物回収具１をポケット等から取り出したとする。剥離材１０３が粘着材１０２に貼り付けられた状態で、ユーザが片手の親指の腹と、中指または薬指の腹とで、基材１０１の後端１０１２側、ここでは、切り込み１０４よりも後端側の左側端１０１３と右側端１０１４とを挟み、図３（ａ）に示すように、基材１０１の切り込み１０４よりも後端１０１２側の左側端１０１３と右側端１０１４とが上方向に曲がり、基材１０１の、この左側端１０１３と右側端１０１４との間の内側の部分が下方向に凸となるよう曲がるように、挟んだ指で両側から軽く力を加える。これにより、基材１０１および剥離材１０３の後方側が、左右方向、すなわち横方向において下方向に凸となるよう、曲面状に反るように湾曲する。基材１０１および剥離材１０３の切り込み１０４よりも後方側が、左右方向において湾曲しているため、この部分を前後方向からみると、下方向に凸となるよう湾曲した形状、例えば、下方向に凸なるアーチ形状等となっている。なお、挟む際に、人差し指等で基材１０１の切り込み１０４よりも後端１０１２側の左側端１０１３と右側端１０１４との間の部分を、下方向に押すようにしてもよい。なお、左右方向において下方向に凸となるよう曲げる、ということは、例えば、左右方向における内側（例えば、中心側等）が、下方向に凸となるように曲げることである。
【００７４】
このように挟んで持った状態で、剥離材１０３の左右の切り込み１０４よりも前端１０１１側の部分１０３ａであって、切れ目１０５よりも前端１０１１側に位置する部分を剥がして除去する（図３（ｂ））。この状態で、基材１０１の切り込み１０４よりも前端１０１側の粘着材１０２が設けられた下面１０１ｂ側が、医療廃棄物の回収面となる。なお、作業の邪魔にならないようであれば、前端１０１１側の部分１０３ａを剥がすだけで、剥離材１０３の剥がした部分１０３ａを切れ目１０５により剥離材１０３の他の部分から切り離して除去しなくてもよい。この場合、例えば、切れ目１０５を設けないようにしてもよい。例えば、剥がした部分１０３ａを折曲げて、剥がしていない部分に重ねて使用するようにしてもよい。
【００７５】
基材１０１の切り込み１０４よりも前端１０１１側に位置する部分が回収したい医療廃棄物である注射針２００の上方に位置するように医療廃棄物回収具１を、ユーザが移動させる。このとき、目印１０１７の下方に、注射針２００が位置するように移動させることで、位置決めが容易になる。移動させた後、基材１０１の切り込み１０４よりも後端１０１２側を指で挟んで横方向において下方向に凸となるよう反るように湾曲させた状態で、基材１０１の切り込み１０４よりも前端１０１１の部分を、下面１０１ｂを注射針２００に対向させた状態で注射針２００に上から押し当てると、剥離材１０３を剥がしたことで露出した基材１０１の前端１０１１側の下面１０１ｂに設けられた粘着材１０２に注射針２００が貼り付く（図３（ｃ））。そして、医療廃棄物回収具１を持ち上げることで、医療廃棄物回収具１に貼り付けた状態で注射針２００を拾い上げることができる。そして、この注射針２００が貼り付いた状態の医療廃棄物回収具１を、医療廃棄物を収容する容器（図示せず）等に入れることで、医療廃棄物である注射針２００を回収することができる。
【００７６】
この医療廃棄物回収具１においては、ユーザが直接、医療廃棄物に触れることなく、例えば、ユーザとの間を基材１０１で隔てて医療廃棄物を回収できるため、衛生的かつ安全に医療廃棄物を回収することができる。特に、基材１０１として、十分な厚さを有する樹脂性のシートやフィルム等を用いることで、基材１０１の下面１０１ｂ側に貼り付けた注射針等の医療廃棄物が基材１０１を突き破ってユーザ側に出現することを防ぐことができる。
【００７７】
また、医療廃棄物回収具１の基材１０１の切り込み１０４よりも後端１０１２側の左右を指で両側から挟んだ状態で、基材１０１の切り込み１０４よりも前端１０１１側で医療廃棄物を貼り付けて回収できるため、医療廃棄物回収具１を持つユーザの手と、医療廃棄物との距離を離して、安全性を高めることができる。また、医療廃棄物回収具１の基材１０１の切り込み１０４よりも後端１０１２側の左右を指で挟んで、この後端１０１２側を横方向において下方向に凸となるように湾曲させた状態で、基材１０１の前端１０１１側を押し当てることで、中心線１０１５近傍において後端１０１２側と繋がっている基材１０１の前端１０１１側も、後端１０１２側に近い部分が下方に凸となるよう湾曲することにより、基材１０１の前端１０１１側を、医療廃棄物に押し当てた際（すなわち外力を加えた際）に前端１０１１側が弾性変形しにくくなり、基材１０１の切れ込み１０４よりも前端１０１１側を医療廃棄物に強く押し当てることが可能となる。また、この弾性変形の強さ等は、基材１０１の切り込み１０４よりも後端１０１２側の左右を挟む力加減で調整することも可能である。
【００７８】
また、基材１０１の下面１０１ｂに医療廃棄物を貼り付けて、医療廃棄物を回収するため、医療廃棄物を挟んで持つための道具等を用いて挟む作業等が不要となり、容易にかつ迅速に医療廃棄物を回収することが可能となる。
【００７９】
また、透明な基材１０１を用いることで、医療廃棄物を貼り付ける際の目視による位置決めが容易になり、確実に医療廃棄物を回収することが可能となる。さらに、基材１０１の前端１０１１の切り込み１０４よりも前端側の領域の中央近傍に目印１０１７を設けることで、医療廃棄物をどこに貼り付けることが好ましいかを適切にガイドして、作業効率を向上させることができる。
【００８０】
また、医療廃棄物回収具１は、使用時以外は、厚さが薄いシート状であるため、かさばらず、持ち運びが容易である。特に、医療廃棄物回収具１をカード形状としたことにより、一般的なクレジットカードや名刺等のように、胸ポケット等のポケット内にいれて、容易に持ちあることが可能となる。
【００８１】
また、基材１０１の切り込み１０４よりも後端１０１２側の左右に、矢印１０１６を設けることで、使い方が容易に理解できるとともに、どの部分を指等で挟めばよいかを適切にガイドして、作業効率を向上させることができる。
【００８２】
なお、ここでは、基材１０１を湾曲させた状態で、剥離材１０３の前端１０１１側を剥がすようにしたが、剥離材１０３の前端１０１１側を剥がしたあとに、基材１０１を湾曲させるようにしてもよい。
【００８３】
また、上記の医療廃棄物回収具１の使い方や持ち方等は一例であり、医療廃棄物回収具１の使い方や持ち方等は、上記の使い方や持ち方等に限定されるものではない。例えば、医療廃棄物回収具１の切り込み１０４よりも後端１０１２側を、上記のように横方向において下方に凸となるよう反らせるように湾曲させて持つことが可能であれば、上記の両側から挟むような持ち方に限定されるものではない。
【００８４】
なお、上記においては、基材１０１および剥離材１０３の切り込み１０４よりも後端１０１２側を、左右方向において下方向に湾曲するように曲げて持つ（例えば、挟んで持つ）ようにしたが、医療廃棄物回収具１の切り込み１０４よりも後端１０１２側は、左右方向において下方向に凸となるよう曲げて持つことができれば、必ずしも湾曲させるようにして持つ必要はなく、例えば、後端１０１２側を、左右方向において下方向に凸となるよう一箇所以上で折り曲げて持つようにしてもよい。例えば、特に、基材１０１の切り込み１０４よりも前端１０１１側の部分が、外力を加えた状態であっても、切り込み１０４よりも後端１０１２側の部分に対して弾性変形しにくい、厚さや、材質、切り込み１０４の形状等の組合せを有しているものである場合、上記のように、基材１０１の切り込み１０４よりも後端１０１２側を、上記のように横方向に向かって反らせるように曲げて持つ代わりに、医療廃棄物回収具１の切り込み１０４よりも後端１０１２側の左右を、中心線１０１５の近傍部分に対して上方に塑性変形させて折曲げ、この折曲げた部分を指等でつまんで持つようにしてもよい。
【００８５】
以上、本実施の形態によれば、医療廃棄物を安全かつ容易に回収することができる。例えば、剥離材の切り込みよりも前端側を剥がした状態で、基材と剥離材の切り込みよりも後端側の左右を、中心側が下方向に湾曲するよう挟んで持ち、基材の切り込みよりも前端側の下面に露出した粘着材に医療廃棄物を貼り付けることにより、医療廃棄物を安全かつ容易に回収することができる。
【００８６】
なお、基材１０１の厚さ、材質、切り込み１０４の形状等の組み合わせは、医療廃棄物回収具１を用いて医療廃棄物を回収する作業を適切に行うことが可能となるような組合せであることが好ましい。例えば、基材１０１の厚さ、材質、切り込み１０４の形状等の組み合わせは、基材１０１の切り込み１０４よりも前端１０１１側の部分に外力が加わらない状態で、基材１０１が略平面形状を保っており、基材１０１の切り込み１０４よりも前端１０１１側の部分に外力が加わった状態で、基材１０１の前端１０１１から切り込み１０４までの部分が弾性変形するような組み合わせであることが好ましい。特に、基材１０１の厚さ、材質、切り込み１０４の形状等の組み合わせは、医療廃棄物回収具１の切り込み１０４よりも後端１０１２側を横方向において下方向に凸となるよう湾曲させた状態（例えば、曲面状に曲げた状態）において、基材１０１の切り込み１０４よりも前端１０１１側の部分に外力が加わらない時には、基材１０１が略平面形状を保っており、基材１０１の切り込み１０４よりも前端１０１１側の部分に外力が加わった時には、基材１０１の前端１０１１から切り込み１０４までの部分が弾性変形するような組み合わせであることが好ましい。
【００８７】
なお、ここでの略平面形状を保っている状態とは、例えば、基材１０１の切り込み１０４よりも前端１０１１側の部分が、後端１０１２側の部分に対して下方に垂れ下がっていない状態と考えてもよい。また、上記の基材１０１の厚さ、材質、切り込み１０４の形状等の組み合わせには、左右の切り込み１０４の、基材１０１の内側の端部１０４１間の距離も含まれると考えてもよい。また、切り込み１０４よりも後端１０１２側に残される剥離材１０３の材質や厚さ等も、上記の組み合わせに含まれると考えてもよい。
【００８８】
なお、上記実施の形態においては、基材１０１の左右に切り込み１０４が設けられている場合について説明したが、切り込み１０４を設ける代わりに、あるいは、切り込み１０４に加えて、基材１０１の後端１０１２側を、左右方向において下方向に凸となるよう容易に曲げやすくするための１以上の折り筋を設けてもよい。例えば、１以上の折り筋は、それぞれ、基材１０１の後端１０１２側において、基材１０１の前後方向に伸びている部分を有していてもよい。また、折り筋は、基材１０１の左右の側端部から内側方向に向かって、内側に向かうに従って連続的または段階的に後端１０１２方向に伸びる部分を有していてもよい。なお、剥離材１０３の、基材１０１と同じ位置にも、折り筋や切り込み等を設けるようにしてもよい。
【００８９】
図４（ａ）〜図４（ｄ）は、基材１０１に折り筋１０７を設けた本実施の形態の医療廃棄物回収具１の変形例を説明するための上面図である。
【００９０】
例えば、図４（ａ）に示すように、基材１０１の後端１０１２側の基材１０１の中心線１０１５上に、基材１０１の中心側から後端１０１２に達するように伸びる一本の折り筋１０７を設けてもよい。
【００９１】
また、図４（ｂ）に示すように、基材１０１の後端１０１２側に、基材１０１の中心側から後端１０１２に達するよう、基材１０１の中心線１０１５に沿って２本の折り筋１０７を設けてもよい。この二本の折り筋１０７は、中心線１０１５の両側の中心線１０１５との距離が等距離となる位置に設けることが好ましい。ここでは、折り筋１０７が、例えば、中心線１０１５に向かって膨らむように、曲線状に伸びている場合について示している。ただし、二本の折り筋１０７は曲線状に伸びていなくてもよく、例えば、直線状に伸びていてもよい。なお、上記のような中心線１０１５に沿って伸びる折り筋１０７を三本以上設けるようにしてもよい。
【００９２】
なお、図４（ａ）および図４（ｂ）において示した折り筋１０７は、上述した基材１０１の後端１０１２側において、基材１０１の前後方向に伸びている部分と考えてもよい。
【００９３】
また、図４（ｃ）に示すように、図４（ａ）に示す折り筋１０７において、折り筋１０７の基材１０１の中心側に位置する端部が、２方向に分岐していてもよい。この場合、図４（ｃ）に示すように、分岐した端部は、基材１０１の左右の側端部に達していてもよく、達していなくてもよい。また、折り筋１０７の分岐した部分は、図４（ｃ）に示すように、ｙ字状に分岐して、斜め前方にそれぞれ伸びていることが好ましい。図４（ｃ）において、折り筋１０７の斜め前方に伸びている部分が、例えば、上述した基材１０１の左右の側端部から内側方向に向かって、内側に向かうに従って連続的または段階的に後端１０１２方向に伸びる部分に相当する。
【００９４】
また、図４（ｄ）に示すように、折り筋１０７が、中心線１０１５から予め決められた位置までは、左側端１０１３および右側端１０１４から、それぞれ、内側に向かうに従って連続的または段階的に後端方向に伸びるように設けられているとともに、予め決められた位置からは、後端１０１２に向かって中心線１０１５に平行に伸びるようにしてもよい。
【００９５】
また、基材１０１が切り込み１０４を有する場合に、少なくともこの切り込み１０４よりも後端１０１２側となる位置に、図４（ａ）や、図４（ｂ）に示すような折り筋１０７を設けてもよい。
【００９６】
上記のような折り筋１０７を設けた場合においても、基材１０１の後端１０１２側を左右方向において下方向に凸となるよう曲げた状態であって、剥離材１０３の前端１０１１側を剥がした状態において、基材１０１の前端１０１側の粘着材１０２が設けられた下面１０１ｂ側が、医療廃棄物の回収面となり、この基材１０１の前端１０１１側の裏面１０１ｂに設けられた粘着材１０２で、医療廃棄物を貼り付けて回収することができる。
【００９７】
また、上記のような折り筋１０７を設けることで、折り筋１０７が設けられている部分で基材１０１が折れ曲がり易くなり、基材１０１および剥離材１０３を、左右方向によって曲げやすくすることができる。なお、折り筋１０７に沿って基材１０１や剥離材１０３を折り曲げて、折り曲げた基材および剥離材１０３を持つようにしてもよい。
【００９８】
なお、上記のように折り筋１０１７を設ける場合も、剥離材１０３の折り筋よりも前端１０１１側の部分だけを剥がして除去しやすいように、折り筋１０１７よりも前端１０１１側に、左右方向に伸びる切れ目を設けるようにしてもよい。
【００９９】
また、折り筋を設ける場合、左右の矢印１０１６等の印は、折り筋が設けられている部分の左右に設けるようにしてもよい。また、目印１０１７は、基材１０１の折り筋よりも前端１０１１側の領域、例えば、前端１０１１側の領域の中心近傍に設けることが好ましい。
【０１００】
また、折り筋が設けられている場合、ユーザは、基材１０１および剥離材１０３の、折り筋の前後方向に伸びる部分が設けられている部分の左右を持つ（例えば、挟んで持つ）ようにすることが好ましい。
【０１０１】
なお、上記においては、基材１０１等に切り込み１０４や折り筋１０７が設けられている場合について説明したが、基材１０１には、切り込み１０４や折り筋１０７が設けられていなくてもよい。この場合においても、基材１０１および剥離材１０３の後端側１０１２を左右方向において下側が凸となるように曲げて持つ（例えば、左右を指で挟む）とともに、前端１０１１側の剥離材１０１３を剥がした状態とすることにより、基材１０１の前端１０１１側の下面１０１ｂ側に設けられた粘着材１０２を回収面として、医療廃棄物を回収することが可能となる。
【０１０２】
本発明は、以上の実施の形態に限定されることなく、種々の変更が可能であり、それらも本発明の範囲内に包含されるものであることは言うまでもない。
【産業上の利用可能性】
【０１０３】
以上のように、本発明にかかる医療廃棄物回収具は、医療廃棄物の回収に用いられる回収具等として適している。
【符号の説明】
【０１０４】
１  医療廃棄物回収具
１０１  基材
１０１ａ  上面
１０１ｂ  下面
１０２  粘着材
１０３  剥離材
１０４  切り込み
１０５  切れ目
１０７  折り筋
２００  注射針
１０１１  前端
１０１２  後端
１０１３  左側端
１０１４  右側端
１０１５  中心線
１０１６  矢印
１０１７  目印
１０４１  端部
【図１】
2020174944.tif 000003
【図２】
2020174944.tif 000004
【図３】
2020174944.tif 000005
【図４】
2020174944.tif 000006